【手続補正書】
【提出日】平成16年1月13日(2004.1.13)
【手続補正１】
【補正対象書類名】明細書
【補正対象項目名】特許請求の範囲
【補正方法】変更
【補正の内容】
【特許請求の範囲】
【請求項１】
所定の駆動信号に応じて駆動されるモータと、前記モータとシートベルトを巻装するリールシャフトの動力を連結し、前記モータの駆動に応じてシートベルトの巻き取り及び引き出しを行う電動リトラクタと、前記電動リトラクタを駆動させる駆動手段と、前記シートベルトが引き出されたことを検知するシートベルト引き出し検知手段と、前記電動リトラクタによる前記シートベルトの巻き取りが可能であるかを検知する巻き取り可能検知手段と、前記シートベルトの装着及び非装着を検出する検出手段とを備えている車両用乗員拘束保護装置において、
前記検出手段により前記シートベルトが非装着状態から装着状態に移行したことが検出された時に、又は前記検出手段により前記シートベルトが装着状態と検出されている場合に前記シートベルト引き出し検知手段により前記シートベルトの引き出しが検知され、その後前記シートベルト引き出し検知手段により前記シートベルトの引き出しが検知されなくなり、その後前記巻き取り可能検知手段により前記シートベルトの巻き取りが可能になったことが検知された時に、
前記駆動手段により前記電動リトラクタを駆動させて前記シートベルトを巻き取り限界まで巻き取り、その後第１所定時間前記シートベルトを引き出し、その後第２所定時間経過後、前記駆動手段により前記電動リトラクタを駆動させて前記シートベルトを巻き取り限界まで巻き取り、その後第１所定時間前記シートベルトを引き出し、該第２所定時間経過後のシートベルトの巻き取り及び引き出しを少なくとも１回行うように制御する制御手段を備えることを特徴とする車両用乗員拘束保護装置。
【請求項２】
所定の駆動信号に応じて駆動されるモータと、前記モータとシートベルトを巻装するリールシャフトの動力を連結し、前記モータの駆動に応じてシートベルトの巻き取り及び引き出しを行う電動リトラクタと、前記電動リトラクタを駆動させる駆動手段と、前記シートベルトが引き出されたことを検知するシートベルト引き出し検知手段と、前記電動リトラクタによる前記シートベルトの巻き取りが可能かを検知する巻き取り可能検知手段と、前記シートベルトの装着及び非装着を検出する検出手段とを備えている車両用乗員拘束保護装置において、
前記検出手段により前記シートベルトが非装着状態から装着状態に移行したことが検出された時に、前記駆動手段により前記電動リトラクタを駆動させて前記シートベルトを第１の巻き取り力で巻き取り限界まで巻き取り、その後第１所定時間前記シートベルトを引き出す制御を行い、
さらに、前記シートベルト引き出し検知手段により前記シートベルトの引き出しが検知された場合には、前記シートベルト引き出し検知手段により前記シートベルトの引き出しが検知されなくなったときに、前記駆動手段により前記電動リトラクタを駆動させて、前記第１の巻き取り力より小さい第２の巻き取り力で前記シートベルトの巻き取りを行う制御をする制御手段を備えることを特徴とする車両用乗員拘束保護装置。
【手続補正２】
【補正対象書類名】明細書
【補正対象項目名】０００７
【補正方法】変更
【補正の内容】
【０００７】
【課題を解決するための手段】
上記目的を達成するため、請求項１の車両用乗員拘束保護装置は、所定の駆動信号に応じて駆動されるモータと、前記モータとシートベルトを巻装するリールシャフトの動力を連結し、前記モータの駆動に応じてシートベルトの巻き取り及び引き出しを行う電動リトラクタと、前記電動リトラクタを駆動させる駆動手段と、前記シートベルトが引き出されたことを検知するシートベルト引き出し検知手段と、前記電動リトラクタによる前記シートベルトの巻き取りが可能であるかを検知する巻き取り可能検知手段と、前記シートベルトの装着及び非装着を検出する検出手段とを備えている車両用乗員拘束保護装置において、前記検出手段により前記シートベルトが非装着状態から装着状態に移行したことが検出された時に、又は前記検出手段により前記シートベルトが装着状態と検出されている場合に前記シートベルト引き出し検知手段により前記シートベルトの引き出しが検知され、その後前記シートベルト引き出し検知手段により前記シートベルトの引き出しが検知されなくなり、その後前記巻き取り可能検知手段により前記シートベルトの巻き取りが可能になったことが検知された時に、前記駆動手段により前記電動リトラクタを駆動させて前記シートベルトを巻き取り限界まで巻き取り、その後第１所定時間前記シートベルトを引き出し、その後第２所定時間経過後、前記駆動手段により前記電動リトラクタを駆動させて前記シートベルトを巻き取り限界まで巻き取り、その後前記第１所定時間前記シートベルトを引き出し、該第２所定時間経過後のシートベルトの巻き取り及び引き出しを少なくとも１回行うように制御する制御手段を備えることを特徴とする。
請求項２の車両用乗員拘束保護装置は、所定の駆動信号に応じて駆動されるモータと、前記モータとシートベルトを巻装するリールシャフトの動力を連結し、前記モータの駆動に応じてシートベルトの巻き取り及び引き出しを行う電動リトラクタと、前記電動リトラクタを駆動させる駆動手段と、前記シートベルトが引き出されたことを検知するシートベルト引き出し検知手段と、前記電動リトラクタによる前記シートベルトの巻き取りが可能かを検知する巻き取り可能検知手段と、前記シートベルトの装着及び非装着を検出する検出手段とを備えている車両用乗員拘束保護装置において、前記検出手段により前記シートベルトが非装着状態から装着状態に移行したことが検出された時に、前記駆動手段により前記電動リトラクタを駆動させて前記シートベルトを第１の巻き取り力で巻き取り限界まで巻き取り、その後第１所定時間前記シートベルトを引き出す制御を行い、さらに、前記シートベルト引き出し検知手段により前記シートベルトの引き出しが検知された場合には、前記シートベルト引き出し検知手段により前記シートベルトの引き出しが検知されなくなったときに、前記駆動手段により前記電動リトラクタを駆動させて、前記第１の巻き取り力より小さい第２の巻き取り力で前記シートベルトの巻き取りを行う制御をする制御手段を備えることを特徴とする。
【手続補正３】
【補正対象書類名】明細書
【補正対象項目名】０００８
【補正方法】変更
【補正の内容】
【０００８】
本発明の構成によれば、検出手段によりシートベルトが非装着状態から装着状態に移行したことが検出された時又は検出手段によりシートベルトが装着状態と検出されている場合にシートベルト引き出し検出手段によりシートベルトの引き出しが検知され、その後シートベルト引き出し検知手段によりシートベルトの引き出しが検知されなくなり、その後巻き取り可能検知手段によりシートベルトの巻き取りが可能になったことが検知された時に、駆動手段により電動リトラクタを駆動させてシートベルトを巻き取り限界まで巻き取り、その後第１所定時間シートベルトを引き出し、その後第２所定時間経過後、駆動手段により電動リトラクタを駆動させてシートベルトを巻き取り限界まで巻き取り、その後第１所定時間前記シートベルトを引き出し、第２所定時間経過後のシートベルトの巻き取り及び引き出しを少なくとも１回行うように制御されるので、シートベルトの余分な弛みを除去し、乗員に適度な弛みが与えられた後、第２所定時間経過中に、乗員の移動によるシートベルトの引き出しがあったとしても、その後少なくとも１回シートベルトの余分な弛みを除去し、乗員に適度な弛みが与えられるようになるため、シートベルトの余分な弛みを除去することにより乗員を適切に保護することができる。


【手続補正４】
【補正対象書類名】明細書
【補正対象項目名】００３７
【補正方法】変更
【補正の内容】
【００３７】
【発明の効果】
以上詳細に説明したように、請求項１の車両用乗員拘束保護装置によれば、検出手段によりシートベルトが非装着状態から装着状態に移行したことが検出された時又は検出手段によりシートベルトが装着状態と検出されている場合にシートベルト引き出し検出手段によりシートベルトの引き出しが検知され、その後シートベルト引き出し検知手段によりシートベルトの引き出しが検知されなくなり、その後巻き取り可能検知手段によりシートベルトの巻き取りが可能になったことが検知された時に、駆動手段により電動リトラクタを駆動させてシートベルトを巻き取り限界まで巻き取り、その後第１所定時間シートベルトを引き出し、その後第２所定時間経過後、駆動手段により電動リトラクタを駆動させてシートベルトを巻き取り限界まで巻き取り、その後第１所定時間前記シートベルトを引き出し、第２所定時間経過後のシートベルトの巻き取り及び引き出しを少なくとも１回行うように制御されるので、シートベルトの余分な弛みを除去し、乗員に適度な弛みが与えられた後、第２所定時間経過中に、乗員の移動によるシートベルトの引き出しがあったとしても、その後少なくとも１回シートベルトの余分な弛みを除去し、乗員に適度な弛みが与えられるようになるため、シートベルトの余分な弛みを除去することにより乗員を適切に保護することができる。